(57)【要約】【課題】キャップ付きのハウジングを結合可能として、作業性を改善する。【解決手段】コネクタＳは、互いに並列に結合される第１及び第２ハウジング１０，４０と、各ハウジング１０，４０の前面から突出する雄タブの周りを包囲して各ハウジング１０，４０に取り付けられる第１及び第２キャップ７０，１００とを備える。第１ハウジング１０の側面と第１キャップ７０の対応部位のうち高さ方向の上側には、第１キャップロック部１９，７６が配置され、高さ方向の下側には、第２キャップロック部４７，１０６との干渉を避ける第１逃がし部２２，７４が設けられる。また、第２ハウジング４０の側面と第２キャップ１００の対応部位のうち高さ方向の上側には、第１キャップロック部１９，７６との干渉を避ける第２逃がし部５０，１０４が設けられ、高さ方向の下側には、第２キャップロック部４７，１０６が配置される。【選択図】図１
2009117047.tif 000002
【特許請求の範囲】
【請求項１】
互いに並列に配置され、その並列方向で向き合う側面同士を結合させる第１及び第２ハウジングと、
各ハウジングの前面から突出する雄タブの周りを包囲してこの各ハウジングに個別に取り付けられる第１及び第２キャップとを備え、
前記第１ハウジングと前記第１キャップは、前記第１ハウジングに前記第１キャップを抜け止め保持する第１キャップロック部を有し、前記第２ハウジングと前記第２キャップは、前記第２ハウジングに前記第２キャップを抜け止め保持する第２キャップロック部を有しており、
前記第１ハウジングの側面と前記第１キャップの対応部位のうち、前記並列方向と直交する高さ方向の一側に、前記第１キャップロック部が配置され、前記高さ方向の他側に、前記第２キャップロック部との干渉を避ける第１逃がし部が設けられており、
前記第２ハウジングの側面と前記第２キャップの対応部位のうち、前記高さ方向の一側に、前記第１キャップロック部との干渉を避ける第２逃がし部が設けられ、前記高さ方向の他側に、前記第２キャップロック部が配置されていることを特徴とするコネクタ。
【請求項２】
前記第１逃がし部は、少なくとも、前記第２キャップの取り付け過程で撓み変形する前記第２キャップロック部の撓み量の分だけ前記第２キャップロック部から離間して配置され、同じく、前記第２逃がし部は、少なくとも、前記第１キャップの取り付け過程で撓み変形する前記第１キャップロック部の撓み量の分だけ第１キャップロック部から離間して配置されていることを特徴とする請求項１に記載のコネクタ。
【発明の詳細な説明】
【技術分野】
【０００１】
本発明は、コネクタに関する。
【背景技術】
【０００２】
特許文献１に記載のコネクタは、ハウジングとこのハウジングに取り付けられるキャップを備え、キャップの非装着時にはハウジングの前面から突出する雄タブが露出状態で配置され、キャップの装着時には雄タブの周りがキャップによって保護状態で覆われるようになっている。このキャップは、例えば、コネクタの搬送時では雄タブを保護するべくハウジングに取り付けられた状態とされ、ハウジングが相手コネクタと嵌合されるに先立ち、ハウジングから取り外されるようになっている。この種のコネクタは、並列方向で互いに結合される分割コネクタに適用される場合が多い。
【特許文献１】特開２０００−５８１９０公報
【発明の開示】
【発明が解決しようとする課題】
【０００３】
上記のような分割コネクタの場合、ハウジングの外面にキャップのキャップロック部によるロックがかかるため、キャップはハウジングより一回り大きく形成されることになる。したがって、キャップ付きのハウジング同士を結合しようとすると、両ハウジングの側面間で双方のキャップの側壁（詳しくはキャップのキャップロック部）が干渉し、そこで両ハウジングの結合動作が規制されるという事情がある。そのため、結合前にあらかじめ両ハウジングからそれぞれキャップを取り外しておき、結合後、両ハウジングにその全体を包囲する一括型のキャップを取り付けることがあり、工数が増えて面倒であるという問題がある。
【０００４】
本発明は上記のような事情に基づいて完成されたものであって、キャップ付きのハウジングを結合可能として、作業性を改善することを目的とする。
【課題を解決するための手段】
【０００５】
上記の目的を達成するための手段として、請求項１の発明は、互いに並列に配置され、その並列方向で向き合う側面同士を結合させる第１及び第２ハウジングと、各ハウジングの前面から突出する雄タブの周りを包囲してこの各ハウジングに個別に取り付けられる第１及び第２キャップとを備え、前記第１ハウジングと前記第１キャップは、前記第１ハウジングに前記第１キャップを抜け止め保持する第１キャップロック部を有し、前記第２ハウジングと前記第２キャップは、前記第２ハウジングに前記第２キャップを抜け止め保持する第２キャップロック部を有しており、前記第１ハウジングの側面と前記第１キャップの対応部位のうち、前記並列方向と直交する高さ方向の一側に、前記第１キャップロック部が配置され、前記高さ方向の他側に、前記第２キャップロック部との干渉を避ける第１逃がし部が設けられており、前記第２ハウジングの側面と前記第２キャップの対応部位のうち、前記高さ方向の一側に、前記第１キャップロック部との干渉を避ける第２逃がし部が設けられ、前記高さ方向の他側に、前記第２キャップロック部が配置されている構成としたところに特徴を有する。
【０００６】
請求項２の発明は、請求項１に記載のものにおいて、前記第１逃がし部は、少なくとも、前記第２キャップの取り付け過程で撓み変形する前記第２キャップロック部の撓み量の分だけ前記第２キャップロック部から離間して配置され、同じく、前記第２逃がし部は、少なくとも、前記第１キャップの取り付け過程で撓み変形する前記第１キャップロック部の撓み量の分だけ第１キャップロック部から離間して配置されているところに特徴を有する。
【発明の効果】
【０００７】
＜請求項１の発明＞
本発明によれば、第１ハウジングに第１キャップを取り付け、第２ハウジングに第２キャップを取り付け、その状態で第１及び第２ハウジングを互いに結合することができる。このとき、結合状態における両ハウジングの側面には、高さ方向に夫々のキャップロック部が並ぶとともに、相手側のキャップロック部を逃がす夫々の逃がし部が段違いで配置されるため、両ハウジングの側面間でキャップの側壁が干渉することがなく、両ハウジングを確実に結合させることができる。
【０００８】
＜請求項２の発明＞
逃がし部はキャップロック部の撓み量の分だけキャップロック部から離間して配置されるから、両ハウジングの側面間における狭いスペース内でもキャップロック部の撓み動作を確保できる。したがって、結合状態にある両ハウジングからキャップを取り外して再利用することが可能となる。
【発明を実施するための最良の形態】
【０００９】
＜実施形態１＞
本発明の実施形態１を図１ないし図２１によって説明する。本実施形態のコネクタＳは、互いに並列に結合される合成樹脂製の第１及び第２ハウジング１０，４０と、両ハウジング１０，４０に個別に取り付けられる合成樹脂製の第１及び第２キャップ７０，１００とを備えている。なお、以下の説明において、前後方向は相手コネクタ（図示せず）との嵌合離脱方向と同じであり、高さ方向は図示上下方向に同じであって相手コネクタとの嵌合離脱方向及び両ハウジング１０，４０の並列方向の両方向と直交する方向に同じである。
【００１０】
第１ハウジング１０は、図１２ないし図１３に示すように、第２ハウジング４０よりも大型であって幅方向に長く形成され、その内部に、雄端子金具を収容可能な複数のキャビティ１１を有している。第１ハウジング１０の側面（結合状態において第２ハウジング４０の側面との対向面）には、図５に示すように、高さ方向に沿って延びる第１あり部１２と第１あり溝１３が前後に凹凸状に並んで設けられている。第２ハウジング４０は第１あり部１２と第１あり溝１３に沿って第１ハウジング１０の側面にスライドして装着可能となっている。第１あり溝１３の上端開口は前後に延びる梁部１４によって閉止されており、この梁部１４によって第１ハウジング１０の上方からの装着動作が規制されるようにしてある。
【００１１】
また、第１ハウジング１０の側面の前後両端には、両ハウジング１０，４０を離脱規制状態に保持する第１ハウジングロック部１５，１６が設けられている。後側の第１ハウジングロック部１５は、第１ハウジング１０の後端下部で側方に突出する形態とされ、前側の第１ハウジングロック部１６は、第１ハウジング１０の前端下部で側方に突出する形態とされる。さらに、第１ハウジング１０の側面の前後両端には、第１ハウジングロック部１５，１６よりも上方に、当接部１７，１８が設けられている。後側の当接部１７は、梁部１４から垂下する縦リブによって構成され、その下縁が第１ハウジング１０側に当接可能とされる。前側の当接部１８は、第１ハウジング１０の前端上部から側方に突出する形態とされ、その突出端は第１あり部１２の突出端と幅方向についてほぼ同じ位置に及んでいる。
【００１２】
そして、第１ハウジング１０の側面の前端上部には、前側の当接部１８から上方に延びて第１ハウジング１０の上端に至る第１キャップロック部１９が側方に突出して設けられている。第１キャップロック部１９の後端は、キャップ側の第１キャップロック部７６によって引っ掛け係止される第１係止縁２０とされ、高さ方向にほぼ垂直に切り立っている。この第１キャップロック部１９の突出量は前側の当接部１８の突出量より小さく抑えられ、第１キャップロック部１９と前側の当接部１８との間が段違いに連なっており、この段差部分に、キャップ側の第１キャップロック部７６の進入を許容する第１キャップ進入溝２１が設けられている。また、第１ハウジング１０の側面の前端下部は、第１キャップロック部１９及び前側の当接部１８より下方で一段落ちるように段違いに連なって、第２キャップロック部４７，１０６との干渉を回避する第１逃がし部２２が設けられている。第１逃がし部２２の凹み量は、撓み変形するキャップ側の第２キャップロック部１０６の撓み変形量を加味して設定されている。
【００１３】
第１ハウジング１０のもう一方の側面（第２ハウジング４０の側面との対向面とは反対側の面）の略上半部は側方に膨出する形態とされ、ここに、前後方向に延びる対向第１キャップロック部２３が設けられている。対向第１キャップロック部２３の後縁は、キャップ側の対向第１キャップロック部７９によって引っ掛け係止される対向第１係止縁２４とされる。
【００１４】
第２ハウジング４０は、結合状態では正面から見ると向かって左側に配置され、図１４及び図１５に示すように、第１ハウジング１０よりもキャビティ４１の個数が少なく、前後方向に細長い形状となっている。そして、第２ハウジング４０の側面（結合状態において第１ハウジング１０の側面との対向面）には、図８に示すように、高さ方向に沿って延びる第２あり部４２と第２あり溝４３が前後に凹凸状に並んで設けられている。第２ハウジング４０の側面の上端には、第２あり部４２の上端を切欠して第１ハウジング１０の梁部１４を受け入れ可能な梁受部４４が幅方向に同一高さで設けられている。
【００１５】
第２ハウジング４０の側面の前後両端には、両ハウジング１０，４０を離脱規制状態に保持する第２ハウジングロック部４５，４６が設けられている。後側の第２ハウジングロック部４５は、第２ハウジング４０の後端下部で後側の第１ハウジングロック部１５より大きい突出量をもって側方に突出する形態とされ、前側の第２ハウジングロック部４６は、第２ハウジング４０の前端下部で前側の第１ハウジングロック部１６より大きい突出量をもって側方に突出する形態とされる。そして、前側の第２ハウジングロック部４６は、高さ方向に一対の係止爪４６Ｕ，４６Ｌによって構成され、結合状態では、両係止爪４６Ｕ，４６Ｌ間に前側の第１ハウジングロック部１６が嵌合するようになっている。
【００１６】
ここで、両ハウジング１０，４０の組付け過程では、第２ハウジングロック部４５，４６が第１ハウジングロック部１５，１６と干渉して撓み変形され、両ハウジング１０，４０の組付け完了時（結合時（合体時））には、第２ハウジングロック部４５，４６が第１ハウジングロック部１５，１６を乗り越えて弾性復帰し、これにより、第２ハウジングロック部４５，４６が第１ハウジングロック部１５，１６に抜け止め係止されるようになっている。
【００１７】
そして、第２ハウジング４０の側面の前端下部には、前側の第２ハウジングロック部４６から垂下して第２ハウジング４０の下端に至る第２キャップロック部４７が側方に突出して設けられている。第２キャップロック部４７の後端は、キャップ側の第２キャップロック部１０６によって引っ掛け係止される第２係止縁４８とされ、高さ方向にほぼ垂直に切り立っている。この第２キャップロック部４７の突出量は前側の第２ハウジングロック部４６の突出量より小さく抑えられ、第２キャップロック部４７と前側の第２ハウジングロック部４６との間が段違いに連なっており、この段差部分に、キャップ側の第２キャップロック部１０６の進入を許容する第２キャップ進入溝４９が設けられている。また、第２ハウジング４０の側面の前端上部は、前側の第２ハウジングロック部４６及び第２キャップロック部４７の上方で一段落ちるように段違いに連なって、第１キャップロック部１９，７６との干渉を回避する第２逃がし部５０が設けられている。第２逃がし部５０の凹み量は、撓み変形するキャップ側の第１キャップロック部７６の撓み変形量を加味して設定されている。
【００１８】
第２ハウジング４０のもう一方の側面（第１ハウジング１０との対向面とは反対側の面）の略上半部は側方に膨出する形態とされ、ここに、前後方向に延びる対向第２キャップロック部５１が設けられている。対向第２キャップロック部５１の後縁は、キャップ側の対向第２キャップロック部１０９によって引っ掛け係止される対向第２係止縁５２とされる。
【００１９】
第１キャップ７０は、図１６ないし図１８に示すように、第１ハウジング１０よりも一回り大きい横長の筒状をなし、第１ハウジング１０の前端部に外嵌される第１取付部７１と、第１ハウジング１０の前面より前方に突出する第１フード部７２とを備えている。第１フード部７２は、第１ハウジング１０の前面から突出する雄タブ（図示せず）の周囲を全周に亘って包囲する形態であり、雄タブを保護する役割を果たす。第１フード部７２のうち相手側の第２フード部１０２と少し隙間をあけて対向する第１フード対向壁７３は、第１フード部７２の他の周壁と比べて薄肉とされ、高さ方向に沿って配置されている。
【００２０】
第１取付部７１には、第２キャップロック部４７，１０６及び前側の第２ハウジングロック部４６と対応する側壁下部を切り欠いて、キャップ側の第１逃がし部７４が設けられている。そして、第１取付部７１は、第１逃がし部７４を除いて第１ハウジング１０の前端部の周りを当接可能に包囲する形態となっている。第１取付部７１のうち第１逃がし部７４の上方には、第１ハウジング１０の前方に配されて、結合状態では相手側の第２当接リブ１０５と高さ方向で当接する第１当接リブ７５が設けられている。第１当接リブ７５は、第１フード対向壁７３の側外面より側方に突出する形態であって、第１フード対向壁７３の壁厚より厚肉とされる。
【００２１】
また、第１取付部７１の側面（結合状態において第２ハウジング４０の側面との対向面）のうち第１当接リブ７５より上方には、第１当接リブ７５との間に段違いに連なって後方へ延びるキャップ側の第１キャップロック部７６が設けられている。キャップ側の第１キャップロック部７６は、第１当接リブ７５の突端側に連なって第１キャップ７０の上端に至り、内面側の凹みによって薄肉となっている。キャップ側の第１キャップロック部７６の後端側内面には、前方から窓部７８を通して視認可能な第１係止突部７７が内向きに突出して設けられている。第１係止突部７７の後面は、第１キャップ７０の取り外し方向でテーパ状に傾斜しており、第１キャップ７０を第１ハウジング１０から容易に取り外し可能となすセミロックとなっている。第１ハウジング１０への取付過程では、第１係止突部７７がハウジング側の第１キャップロック部１９と干渉してキャップ側の第１キャップロック部７６が外側に撓み変形し、第１ハウジング１０への取付完了時には、第１係止突部７７がハウジング側の第１キャップロック部１９を乗り越えてキャップ側の第１キャップロック部７６が弾性復帰し、これにより、第１係止突部７７がハウジング側の第１キャップロック部１９の第１係止縁２０に弾性的に係止するようになっている。
【００２２】
また、第１取付部７１のもう一方の側面（第２ハウジング４０の側面との対向面とは反対側の面）は、後方へ長く延びて配置され、その上部に、キャップ側の対向第１キャップロック部７９が膨出して設けられている。キャップ側の対向第１キャップロック部７９の後端内面には、ハウジング側の対向第１キャップロック部２３の対向第１係止縁２４に弾性係止可能な対向第１係止突部８０が内向きに突出して設けられている。
【００２３】
第２キャップ１００は、第２ハウジング４０よりも一回り大きい前後方向に細長い筒状をなし、第２ハウジング４０の前端部に外嵌される第２取付部１０１と、第２ハウジング４０の前面より前方に突出する第２フード部１０２とを備えている。第２フード部１０２は、第２ハウジング４０の前面から突出する雄タブ（図示せず）の周囲を全周に亘って包囲する形態であり、雄タブを保護する役割を果たす。第２フード部１０２のうち相手側の第１フード部７２と少し隙間をあけて対向する第２フード対向壁１０３は、第２フード部１０２の他の周壁と比べて薄肉とされ、高さ方向に沿って配置されている。
【００２４】
第２取付部１０１には、第１キャップロック部１９，７６及び前側の当接部１８と対応する側壁上部を切り欠いて、キャップ側の第２逃がし部１０４が設けられている。そして、第２取付部１０１は、第２逃がし部１０４を除いて第２ハウジング４０の前端部の周りを当接可能に包囲する形態となっている。第２取付部１０１のうち第２逃がし部１０４の下方には、第２ハウジング４０の前方に配され、相手側の第１当接リブ７５と高さ方向で当接可能な第２当接リブ１０５が設けられている。第２当接リブ１０５は、第２フード対向壁１０３の側外面より側方に突出する形態であって、第２フード対向壁１０３の壁厚より厚肉とされる。
【００２５】
また、第２取付部１０１の側面（第１ハウジング１０の側面との対向面）のうち第２当接リブ１０５より下方には、第２当接リブ１０５との間に段違いに連なって後方へ延びるキャップ側の第２キャップロック部１０６が設けられている。キャップ側の第２キャップロック部１０６は、第２当接リブ１０５の突端側に連なって第２キャップ１００の下端に至り、内面側の凹みによって薄肉となっている。キャップ側の第２キャップロック部１０６の後端側内面には、前方から窓部１０８を通して視認可能な第２係止突部１０７が内向きに突出して設けられている。第２係止突部１０７の後面は、第２キャップ１００の取り外し方向でテーパ状に傾斜しており、第２キャップ１００を第１ハウジング１０から容易に取り外し可能となすセミロックとなっている。第２ハウジング４０への取付過程では、第２係止突部１０７がハウジング側の第２キャップロック部４７と干渉してキャップ側の第２キャップロック部１０６が外側に撓み変形し、第２ハウジング４０への取付完了時には、第２係止突部１０７がハウジング側の第２キャップロック部４７を乗り越えてキャップ側の第２キャップロック部１０６が弾性復帰し、これにより、第２係止突部１０７がハウジング側の第２キャップロック部４７の第２係止縁４８に弾性的に係止するようになっている。
【００２６】
また、第２取付部１０１のもう一方の側面（第１ハウジング１０の側面との対向面とは反対側の面）は、後方へ長く延びて配置され、その上部に、キャップ側の対向第２キャップロック部１０９が膨出して設けられている。キャップ側の対向第２キャップロック部１０９の後端内面には、ハウジング側の対向第２キャップロック部５１の対向第２係止縁５２に弾性係止可能な対向第２係止突部１１０が内向きに突出して設けられている。
【００２７】
なお、第２キャップロック部４７，１０６と対向第２キャップロック部５１，１０９、及び、第１キャップロック部１９，７６と対向第１キャップロック部２３，７９は、それぞれ、異なる高さ位置に配置され、第２キャップ１００側のほうが第１キャップ７０側よりその高さ位置のずれ量が大きい。
【００２８】
次に、本実施形態のコネクタＳの作用を説明する。  
搬送時等で雄タブを保護する必要があるとき、第１ハウジング１０に第１キャップ７０を取り付け、第２ハウジング４０に第２キャップ１００を取り付ける。この場合、第１ハウジング１０と第１キャップ７０における第１キャップロック部１９，７６を正対させた状態で第１ハウジング１０に第１キャップ７０を嵌め付ける。すると、図９に示すように、キャップ側の第１キャップロック部７６がハウジング側の第１キャップロック部１９を乗り越え、キャップ側の第１キャップロック部７６の第１係止突部７７がハウジング側の第１キャップロック部１９の第１係止縁２０を弾性係止する。また、これと同じ動作でかつほぼ同じタイミングでキャップ側の対向第１キャップロック部７９の対向第１係止突部８０が対向第１係止縁２４を弾性係止する。これにより、図３ないし図５に示すように、第１キャップ７０が第１ハウジング１０に抜け止め状態で取り付けられる。
【００２９】
上記と同様に、図１０に示すように、キャップ側の第２キャップロック部１０６がハウジング側の第２キャップロック部４７を乗り越え、キャップ側の第２キャップロック部１０６の第２係止突部１０７がハウジング側の第２キャップロック部４７の第２係止縁４８を弾性係止する。また、これと同じ動作でかつほぼ同じタイミングでキャップ側の対向第２キャップロック部１０９の対向第２係止突部１１０が対向第２係止縁５２を弾性係止する。これにより、図６ないし図８に示すように、第２キャップ１００が第２ハウジング４０に抜け止め状態で取り付けられる。
【００３０】
続いて、両ハウジング１０，４０をキャップを付けたまま合体させる。この合体に際し、第１ハウジング１０を第２ハウジング４０より相対的に上方に位置させ、その状態から第２あり溝４３に第１あり部１２を進入して係合させるとともに、第１あり溝１３に第２あり部４２を進入して係合させる。すると、両ハウジング１０，４０が互いの側面同士を摺接させつつスライドされる。両ハウジング１０，４０が正規の結合位置に至ると、第１ハウジングロック部１５，１６が第２ハウジングロック部４５，４６を乗り越え、互いに抜け方向で弾性的に係止し合うとともに、梁部１４が梁受部４４に嵌合し、かつ、当接部１７，１８に前後の第２ハウジングロック部４５，４６が当接可能に対向して配置され、さらに、第１キャップ７０の第１当接リブ７５の下端に第２キャップ１００の第２当接リブ１０５の上端が突き当たり、これらによって両ハウジング１０，４０がこの結合位置に移動規制状態で保持される。
【００３１】
上記の場合、図１及び図２に示すように、高さ方向の上側では、第２逃がし部５０，１０４が第１キャップロック部１９，７６と幅方向で対向しつつもこの第１キャップロック部１９，７６から離間して配置され、高さ方向の下側では、第１逃がし部２２，７４が第２キャップロック部４７，１０６と幅方向で対向しつつもこの第２キャップロック部４７，１０６から離間して配置される。そして、第１キャップロック部１９，７６と第２キャップロック部４７，１０６は幅方向で重なる位置関係にあり、正面から見ると第１キャップロック部１９，７６と第２キャップロック部４７，１０６が高さ方向に段違いに並んで配置されることとなる。この状態は、第１及び第２フード対向壁７３、１０３との間から視認可能である。
【００３２】
次いで相手コネクタとの嵌合に先立ち、両ハウジング１０，４０を合体させたまま、第１ハウジング１０から第１キャップ７０を取り外す。第１キャップ７０を前方へ引っ張ると、キャップ側の第１キャップロック部７６が第２逃がし部５０，１０４側へ弾性撓みして第１係止突部７７が第１係止縁２０から離間し、さらにキャップ側の第１キャップロック部７６が第１キャップ進入溝２１を通って前方へ引き抜かれる。また、これとほぼ同じタイミングで対向第１キャップロック部７９の対向第１係止突部８０も対向第１係止縁２４から離間される。したがって、第１キャップ７０に前方への引っ張り力を付与するだけで、第１キャップ７０を第１ハウジング１０から簡単に取り外すことができる。
【００３３】
上記と同様に、第２キャップ１００を前方へ引っ張ると、図１１に示すように、キャップ側の第２キャップロック部１０６が第１逃がし部２２，７４側へ弾性撓みして第２係止突部１０７が第２係止縁４８から離間し、さらにキャップ側の第２キャップロック部１０６が第２キャップ進入溝４９を通って方向へ引き抜かれる。また、これとほぼ同じタイミングでキャップ側の対向第２キャップロック部１０９の対向第２係止突部１１０も対向第２係止縁５２から離間される。したがって、第２キャップ１００に前方への引っ張り力を付与するだけで、第２キャップ１００を第２ハウジング４０から簡単に取り外すことができる。なお、取り外された第１及び第２キャップ７０，１００は再利用することが可能である。また、キャップ側の第１及び第２キャップロック部７６，１０６は、その撓み変形時に第１及び第２逃がし溝２２，５０，７４，１０４の溝面に当接可能とされ、もって過度撓みが規制されるようになっている。
【００３４】
以上説明したことから明らかなように本実施形態によれば、第１ハウジング１０に第１キャップ７０を取り付け、第２ハウジング４０に第２キャップ１００を取り付け、その状態で第１及び第２ハウジング１０，４０を互いに結合することができる。このとき、結合状態における両ハウジング１０，４０の側面には、高さ方向に夫々のキャップロック部１９，４７，７６，１０６が並ぶとともに、相手側のキャップロック部１９，４７，７６，１０６を逃がす夫々の逃がし部２２，５０，７４，１０４が段違いで配置されるため、両ハウジング１０，４０の側面間で第１及び第２キャップ７０，１００の側壁が干渉することがなく、両ハウジング１０，４０を確実に結合させることができる。
【００３５】
また、逃がし部２２，５０，７４，１０４は相手側のキャップロック部１９，４７，７６，１０６の撓み量の分だけ相手側のキャップロック部１９，４７，７６，１０６から離間して配置されるから、両ハウジング１０，４０の側面間における狭いスペース内でも相手側のキャップロック部１９，４７，７６，１０６の撓み動作を確保できる。
【００３６】
＜他の実施形態＞
本発明は上記記述及び図面によって説明した実施形態に限定されるものではなく、例えば次のような実施形態も本発明の技術的範囲に含まれる。  
（１）両ハウジングのもう一方の側面に別のハウジングを順次結合させることで、全部で３つ以上のハウジングを合体させてもよい。  
（２）上記実施形態とは逆に、第１キャップロック部が高さ方向の下側に設けられ、第２キャップロック部が高さ方向の上側に設けられていてもよい。  
（３）上記実施形態とは逆に、ハウジング側の第１キャップロック部が撓み変形する形態であってもよい。同様に、ハウジング側の第２キャップロック部が撓み変形する形態であってもよい。
【図面の簡単な説明】
【００３７】
【図１】本発明の実施形態１において、第１及び第２のキャップを取り付けた第１及び第２ハウジングが結合した状態を示す正面図
【図２】第１及び第２のキャップを取り付けた第１及び第２ハウジングが結合した状態を示す平面図
【図３】第１キャップを取り付けた第１ハウジングの正面図
【図４】第１キャップを取り付けた第１ハウジングの平面図
【図５】第１キャップを取り付けた第１ハウジングの側面図
【図６】第２キャップを取り付けた第２ハウジングの正面図
【図７】第２キャップを取り付けた第２ハウジングの平面図
【図８】第２キャップを取り付けた第２ハウジングの側面図
【図９】図１のＡ−Ａ断面図
【図１０】図１のＢ−Ｂ断面図
【図１１】図１０の状態から第２キャップを取り外す途中の状態を示す断面図
【図１２】第１ハウジングの正面図
【図１３】第１ハウジングの底面図
【図１４】第２ハウジングの正面図
【図１５】第２ハウジングの底面図
【図１６】第１キャップの背面図
【図１７】第１キャップの平面図
【図１８】第１キャップの側断面図
【図１９】第２キャップの背面図
【図２０】第２キャップの平面図
【図２１】第２キャップの側断面図
【符号の説明】
【００３８】
Ｓ…コネクタ
１０…第１ハウジング
１９…（ハウジング側の）第１キャップロック部
２２…（ハウジング側の）第１逃がし部
４０…第２ハウジング
４７…（ハウジング側の）第２キャップロック部
５０…（ハウジング側の）第２逃がし部
７０…第１キャップ
７４…（キャップ側の）第１逃がし部
７６…（キャップ側の）第１キャップロック部
１００…第２キャップ
１０４…（キャップ側の）第２逃がし部
１０６…（キャップ側の）第２キャップロック部
【図１】
2009117047.tif 000003
【図２】
2009117047.tif 000004
【図３】
2009117047.tif 000005
【図４】
2009117047.tif 000006
【図５】
2009117047.tif 000007
【図６】
2009117047.tif 000008
【図７】
2009117047.tif 000009
【図８】
2009117047.tif 000010
【図９】
2009117047.tif 000011
【図１０】
2009117047.tif 000012
【図１１】
2009117047.tif 000013
【図１２】
2009117047.tif 000014
【図１３】
2009117047.tif 000015
【図１４】
2009117047.tif 000016
【図１５】
2009117047.tif 000017
【図１６】
2009117047.tif 000018
【図１７】
2009117047.tif 000019
【図１８】
2009117047.tif 000020
【図１９】
2009117047.tif 000021
【図２０】
2009117047.tif 000022
【図２１】
2009117047.tif 000023